(57)【要約】【課題】既に開始されているＰｏＣ通信に途中から参加する場合であっても、過去の会話内容を効率的に把握することができる会話内容伝達システム、サーバ、方法およびプログラムを提供する。【解決手段】入力部２−２は携帯電話機が送信した音声データを入力して、音声認識エンジン２−３はこれを即時解析する。自動テキスト作成部２−４は、解析結果に基づいて文字データを作成し、通話中テキストログ４を作成して、発言時刻を示す情報、端末識別情報および文字データを保存する。また、接続状態監視部２−１は、携帯電話機１３が途中からＰｏＣ通信に参加した際に、端末識別情報、メールアドレスおよび途中参加した時刻を示す接続開始時刻を含む接続状態情報３を生成する。テキスト編集部２−５は、携帯電話機１３が参加する前の通話中テキストログを抽出し、接続状態情報にもとづいてメール用テキスト５を生成し、出力部２−６が送信する。【選択図】図１
2008092287.tif 000002
【特許請求の範囲】
【請求項１】
グループ通話を行う場合における途中参加者に既に行われた会話内容を伝達する会話内容伝達システムであって、
複数の端末を用いたグループ通話を行う際に、通話中のグループ通話における会話内容を含む音声データをテキストデータに変換する音声変換手段と、
前記音声変換手段が変換したテキストデータを記憶するテキスト記憶手段と、
新たな端末が前記通話中のグループ通話に途中参加したか否かを検出する途中参加検出手段と、
前記途中参加検出手段によって新たな端末による途中参加が検出されると、前記テキスト記憶手段が記憶するテキストデータを、通信ネットワークを介して前記新たな端末に送信するテキスト送信手段と
を備えたことを特徴とする会話内容伝達システム。
【請求項２】
端末を識別するための端末識別情報を受信する端末識別情報受信手段と、
端末がグループ通話に参加した時刻である参加時刻を求める参加時刻算出手段とを備え、
途中参加検出手段は、前記端末識別情報および参加時刻にもとづいて、新たな端末が途中参加したか否かを検出する
請求項１記載の会話内容伝達システム。
【請求項３】
テキスト記憶手段は、音声データが送信された時刻を示す情報に対応付けてテキストデータを記憶し、
テキスト送信手段は、新たな端末による途中参加が検出された時刻にもとづいて途中参加するまでのテキストデータを抽出して送信する
請求項１記載の会話内容伝達システム。
【請求項４】
グループ通話を行う場合における途中参加者に既に行われた会話内容を伝達する会話内容伝達システムであって、
複数の端末を用いたグループ通話を行う際に、通話中のグループ通話における会話内容を含む音声データをテキストデータに変換する音声変換手段と、
前記音声変換手段が変換したテキストデータを通信ネットワーク上に設けられたテキスト記憶手段に記憶させるテキスト登録手段と、
新たな端末が前記通話中のグループ通話に途中参加したか否かを検出する途中参加検出手段と、
前記途中参加検出手段によって新たな端末による途中参加が検出されると、前記通信ネットワーク上のテキスト記憶手段が記憶するテキストデータの所在を示す情報を、通信ネットワークを介して前記新たな端末に送信するテキスト情報送信手段と
を備えたことを特徴とする会話内容伝達システム。
【請求項５】
グループ通話を行う場合における途中参加者に既に行われた会話内容を伝達する会話内容伝達サーバであって、
複数の端末を用いたグループ通話を行う際に、通話中のグループ通話における会話内容を含む音声データをテキストデータに変換する音声変換手段と、
前記音声変換手段が変換したテキストデータを記憶するテキスト記憶手段と、
新たな端末が前記通話中のグループ通話に途中参加したか否かを検出する途中参加検出手段と、
前記途中参加検出手段によって新たな端末による途中参加が検出されると、前記テキスト記憶手段が記憶するテキストデータを、通信ネットワークを介して前記新たな端末に送信するテキスト送信手段と
を備えたことを特徴とする会話内容伝達サーバ。
【請求項６】
グループ通話を行う場合における途中参加者に既に行われた会話内容を伝達する会話内容伝達方法であって、
複数の端末を用いたグループ通話を行う際に、通話中のグループ通話における会話内容を含む音声データをテキストデータに変換し、
変換したテキストデータを記憶し、
新たな端末が前記通話中のグループ通話に途中参加したか否かを検出し、
新たな端末による途中参加が検出されると、記憶するテキストデータを、通信ネットワークを介して前記新たな端末に送信する
ことを特徴とする会話内容伝達方法。
【請求項７】
グループ通話を行う場合における途中参加者に既に行われた会話内容を伝達するための会話内容伝達プログラムであって、
コンピュータに、
複数の端末を用いたグループ通話を行う際に、通話中のグループ通話における会話内容を含む音声データをテキストデータに変換する処理と、
変換したテキストデータを記憶する処理と、
新たな端末が前記通話中のグループ通話に途中参加したか否かを検出する処理と、
新たな端末による途中参加が検出されると、記憶するテキストデータを、通信ネットワークを介して前記新たな端末に送信する処理と
を実行させるための会話内容伝達プログラム。
【発明の詳細な説明】
【技術分野】
【０００１】
本発明は、ＰｏＣ方式による通話において途中参加者に会話内容を伝達する会話内容伝達システム、会話内容伝達サーバ、会話内容伝達方法および会話内容伝達プログラムに関する。
【背景技術】
【０００２】
ＰＴＴ（Push-to-Talk）は、一つの通信チャネルを使用して、送信と受信を切り替えながら通信を行なう半二重通信による通信方式である。ＰＴＴ（Push-to-Talk）では、ボタンを押下している端末からの音声が、通話相手である他の端末に送信される。なお、ＰＴＴは半二重通信であるため、発言権を有する端末は必ず１つである。
【０００３】
１対Ｎ（多数）の通話が可能であり、携帯電話機を用いて、複数のメンバに対して同時に音声を送信するグループ通話を行うことができるＰｏＣ（Push-to-Talk over Cellular）が多くのシーンで利用されている。
【０００４】
例えば、携帯電話機ａ，ｂ，ｃがＰｏＣ通信によるグループ通話を行う場合について説明する。携帯電話機ａのユーザが発起人となり、グループ通話の参加メンバとして携帯電話機ｂ，ｃを選択して呼び出した場合、携帯電話機ｂ，ｃは、グループ通話への参加または不参加を選択することができる。携帯電話機ｂ，ｃが参加の意思を表示した場合、携帯電話機ａ，ｂ，ｃ間でのグループ通話が可能になる。一方、携帯電話機ｂが参加を選択し、携帯電話機ｃが不参加を選択した場合には、携帯電話機ａ，ｂ間でのみグループ通話が可能になる。ここで、携帯電話機ｃは、携帯電話機ａ，ｂ間でのグループ通話が終了していなければ、途中から参加することができる。
【０００５】
また、通話中の会話を文字データで記録し、記録した会話を文字表示させることができる会話ログ記録・表示機能付き携帯端末機器が提案されている（例えば、特許文献１参照）。特許文献１には、通話開始日時および通話相手の名前とともに会話内容を記録し、表示装置に表示することが記載されている。このような構成により、自分の会話ログと通話相手の会話ログとを容易に判別でき、会話の流れや会話中の状況を容易に把握することができる。
【０００６】
【特許文献１】登録実用新案第３０９０３４１号公報（段落００１６−００２３）
【発明の開示】
【発明が解決しようとする課題】
【０００７】
しかし、特許文献１に記載された方式では、既に開始されているＰｏＣ通信に途中から参加する場合、途中参加するメンバは、それまでにどのような会話が交わされているかわからない。したがって、それまでの会話内容を把握するために、例えば、最初から参加しているメンバに会話内容をヒアリングする必要がある。すると、会話の流れが中断されたり、余分な通信を行うことにより通信料金が増えてしまう場合がある。
【０００８】
そこで、本発明は、既に開始されているＰｏＣ通信に途中から参加する場合であっても、過去の会話内容を効率的に把握することができる会話内容伝達システム、会話内容伝達サーバ、会話内容伝達方法および会話内容伝達プログラムを提供することを目的とする。
【課題を解決するための手段】
【０００９】
本発明による会話内容伝達システムは、グループ通話を行う場合における途中参加者に既に行われた会話内容を伝達する会話内容伝達システムであって、複数の端末を用いたグループ通話を行う際に、通話中のグループ通話における会話内容を含む音声データをテキストデータに変換する音声変換手段と、音声変換手段が変換したテキストデータを記憶するテキスト記憶手段と、新たな端末が通話中のグループ通話に途中参加したか否かを検出する途中参加検出手段と、途中参加検出手段によって新たな端末による途中参加が検出されると、テキスト記憶手段が記憶するテキストデータを、通信ネットワークを介して新たな端末に送信するテキスト送信手段とを備えたことを特徴とする。
【００１０】
端末を識別するための端末識別情報を受信する端末識別情報受信手段と、端末がグループ通話に参加した時刻である参加時刻を求める参加時刻算出手段とを備え、途中参加検出手段は、端末識別情報および参加時刻にもとづいて、新たな端末が途中参加したか否かを検出することが望ましい。そのような構成によれば、新たな端末が途中参加したことを検出することができる。
【００１１】
テキスト記憶手段は、音声データが送信された時刻を示す情報に対応付けてテキストデータを記憶し、テキスト送信手段は、新たな端末による途中参加が検出された時刻にもとづいて途中参加するまでのテキストデータを抽出して送信してもよい。そのような構成によれば、確実に途中参加した時刻に応じたテキストデータが送信される。
【００１２】
本発明による会話内容伝達システムは、グループ通話を行う場合における途中参加者に既に行われた会話内容を伝達する会話内容伝達システムであって、複数の端末を用いたグループ通話を行う際に、通話中のグループ通話における会話内容を含む音声データをテキストデータに変換する音声変換手段と、音声変換手段が変換したテキストデータを通信ネットワーク上に設けられたテキスト記憶手段に記憶させるテキスト登録手段と、新たな端末が通話中のグループ通話に途中参加したか否かを検出する途中参加検出手段と、途中参加検出手段によって新たな端末による途中参加が検出されると、通信ネットワーク上のテキスト記憶手段が記憶するテキストデータの所在を示す情報を、通信ネットワークを介して新たな端末に送信するテキスト情報送信手段とを備えたことを特徴とする。
【００１３】
本発明による会話内容伝達サーバは、グループ通話を行う場合における途中参加者に既に行われた会話内容を伝達する会話内容伝達サーバであって、複数の端末を用いたグループ通話を行う際に、通話中のグループ通話における会話内容を含む音声データをテキストデータに変換する音声変換手段と、音声変換手段が変換したテキストデータを記憶するテキスト記憶手段と、新たな端末が通話中のグループ通話に途中参加したか否かを検出する途中参加検出手段と、途中参加検出手段によって新たな端末による途中参加が検出されると、テキスト記憶手段が記憶するテキストデータを、通信ネットワークを介して新たな端末に送信するテキスト送信手段とを備えたことを特徴とする。
【００１４】
本発明による会話内容伝達方法は、グループ通話を行う場合における途中参加者に既に行われた会話内容を伝達する会話内容伝達方法であって、複数の端末を用いたグループ通話を行う際に、通話中のグループ通話における会話内容を含む音声データをテキストデータに変換し、変換したテキストデータを記憶し、新たな端末が通話中のグループ通話に途中参加したか否かを検出し、新たな端末による途中参加が検出されると、記憶するテキストデータを、通信ネットワークを介して新たな端末に送信することを特徴とする。
【００１５】
本発明による会話内容伝達プログラムは、グループ通話を行う場合における途中参加者に既に行われた会話内容を伝達するための会話内容伝達プログラムであって、コンピュータに、複数の端末を用いたグループ通話を行う際に、通話中のグループ通話における会話内容を含む音声データをテキストデータに変換する処理と、変換したテキストデータを記憶する処理と、新たな端末が通話中のグループ通話に途中参加したか否かを検出する処理と、新たな端末による途中参加が検出されると、記憶するテキストデータを、通信ネットワークを介して新たな端末に送信する処理とを実行させることを特徴とする。
【発明の効果】
【００１６】
本発明によれば、通信に途中参加した携帯通信端末装置が、参加前に通信された音声情報を文字情報として取得することができるという効果がある。
【発明を実施するための最良の形態】
【００１７】
実施の形態１．
以下、本発明の第１の実施の形態を図面を参照して説明する。図１は、本発明による会話内容伝達システムの第１の実施の形態を示すブロック図である。図１に示す会話内容伝達システムは、サーバ２と、携帯電話機１１と、携帯電話機１２と、携帯電話機１３とを備える。携帯電話機１１，１２，１３およびサーバ２は、ＰｏＣ通信ネットワーク１を介して、ＰｏＣ通信可能に接続される。
【００１８】
携帯電話機１１，１２，１３は、プログラムに従って動作し、ＰｏＣ方式による通話機能を有する携帯電話機である。また、携帯電話機１１，１２，１３は、電子メール機能や、一般的な全二重通信方式による通話機能を有する。携帯電話機１１，１２，１３は、例えば、ＰｏＣ通信を開始する場合、ＰｏＣ通信への参加や不参加を表明する場合およびＰｏＣ通信を終了する場合に、当該携帯電話機を識別可能な端末識別情報およびメールアドレスを出力する。なお、携帯電話機等の携帯端末に限らず、グループ通話機能を備えた他の端末であってもよい。
【００１９】
サーバ２は、プログラムに従って動作し、途中からＰｏＣ通信に参加した携帯電話機に、参加前の会話内容を示す情報を送信するサーバ装置である。サーバ２は、接続状態監視部２−１と、入力部２−２と、音声認識エンジン２−３と、自動テキスト作成部２−４と、テキスト編集部２−５と、出力部２−６とを含む。
【００２０】
接続状態監視部２−１は、携帯電話機１１，１２，１３によるＰｏＣ通信の状態を監視し、例えば、ＰｏＣ通信が開始された場合、ＰｏＣ通信への参加表明や不参加表明があった場合およびＰｏＣ通信が終了された場合に、当該携帯電話機によって出力された端末識別情報、メールアドレスおよび当該携帯電話機においてなされたＰｏＣ通信に関する操作に応じて、接続状態情報３を記憶する。接続状態監視部２−１は、ＰｏＣ通信が開始されたこと等を認識すると同時に、接続状態情報３を記憶する。例えば、サーバ２は、接続状態情報を記憶する接続状態情報データベースを備え、接続状態監視部２−１は、接続状態情報データベースに接続状態情報３を記憶させる。
【００２１】
図２は、接続状態情報の例を示す説明図である。図２に示すように、接続状態情報３は、携帯電話機を識別可能な「端末識別情報（接続者名）」、「メールアドレス」、「接続開始時刻」、「不参加表明時刻」および「接続終了時刻」を含む情報である。「接続開始時刻」は、例えば、発起人ユーザが使用する携帯電話機がグループ通話の参加メンバとして他の携帯電話機を呼び出した時刻や、呼び出された携帯電話機がグループ通話への参加を表明した時刻である。「不参加表明時刻」は、例えば、参加メンバとして呼び出された携帯電話機がグループ通話への不参加を表明した時刻である。また、「接続終了時刻」は、例えば、グループ通話に参加していた携帯電話機がグループ通話を終了した時刻である。なお、図２に示すように、接続終了時刻として、ＰｏＣ通信中には「接続中」を示す情報を登録してもよく、不参加である場合には「不参加」を示す情報を登録してもよい。
【００２２】
例えば、携帯電話機１１のユーザがグループ通話の発起人となって、１３時００分００秒に携帯電話機１２，１３を呼び出した場合、接続状態監視部２−１は、「端末識別情報」が「携帯電話機１１」、「メールアドレス」が「11@XX.ne.jp 」、「接続開始時刻」が「１３時００分００秒」である接続状態情報を記憶する。その後、１３時００分１０秒に携帯電話機１３が不参加を表明した場合、接続状態監視部２−１は、「端末識別情報」が「携帯電話機１３」、「メールアドレス」が「13@XX.ne.jp 」、「不参加表明時刻」が「１３時００分１０秒」である接続状態情報を記憶する。また、１３時００分２０秒に携帯電話機１２が参加を表明した場合、接続状態監視部２−１は、「端末識別情報」が「携帯電話機１２」、「メールアドレス」が「12@XX.ne.jp 」、「接続開始時刻」が「１３時００分２０秒」である接続状態情報を記憶する。
【００２３】
また、接続状態監視部２−１は、携帯電話機１３が途中からＰｏＣ通信に参加した際に記憶された接続状態情報をテキスト編集部２−５に出力する。ここで、接続状態監視部２−１は、グループ通話の参加メンバとして呼び出された全ての携帯電話機１２，１３から参加または不参加の表明があった時刻をチェック時刻として検出する。すなわち、チェック時刻は、すべての携帯電話機について、「接続開始時刻」または「不参加表明時刻」が記憶された場合における最も遅い時刻である。そして、チェック時刻よりも遅い時刻を示す接続開始時刻を検索し、該当する接続状態情報をテキスト編集部２−５に出力する。なお、接続状態監視部２−１は、これらの時刻を、例えば、サーバ２が備えるタイマが出力する信号に基づいて算出する。
【００２４】
例えば、図２に示す例では、チェック時刻は１３時００分２０秒である。ここで、携帯電話機１３が、１３時１０分００秒に途中からの参加を表明した場合、接続状態監視部２−１は、「端末識別情報」が「携帯電話機１３」、「メールアドレス」が「13@XX.ne.jp 」、「接続開始時刻」が「１３時１０分００秒」である接続状態情報を記憶する。記憶された接続状態情報の接続開始時刻「１３時１０分００秒」がチェック時刻「１３時００分２０秒」よりも遅いことから、接続状態監視部２−１は、記憶された接続状態情報をテキスト編集部２−５に出力する。
【００２５】
また、接続状態監視部２−１は、ＰｏＣ通信が開始された場合に、例えば、所定の周期で、各携帯電話機においてプッシュボタンが押下されたか否かを判断する。プッシュボタンは、各携帯電話機が有し、ＰｏＣ通信において発言権を獲得するために話者によって押下されるボタンである。プッシュボタンが押下されてから開放されるまでの間、その携帯電話機が発言権を獲得する。接続状態監視部２−１は、プッシュボタンが押下されたことおよび開放されたことを、入力部２−２に通知する。例えば、ボタンが押下された旨の信号が、ＰｏＣ通信ネットワーク１の交換機を介してサーバ２に入力される。なお、発言権を獲得するとは、例えば、携帯電話機においてボタンが押下され、音声データを送信可能となることである。
【００２６】
入力部２−２は、接続状態監視部２−１からの通知にもとづいて、１回の発言に対する情報として、発言権が獲得されてから開放されるまでの間に携帯電話機が送信した音声データと、音声データを送信した携帯電話機を識別可能な端末識別情報とを入力する。入力部２−２は、入力した音声データを音声認識エンジン２−３に出力する。
【００２７】
音声認識エンジン２−３は、入力部２−２によって出力された音声データを音声認識処理を行うことによって即時解析する。
【００２８】
自動テキスト作成部２−４は、音声認識エンジン２−３によって解析された結果に基づいて文字データ（テキストデータ）を作成する。自動テキスト作成部２−４は、通話中テキストログ４を作成し、発言時刻を示す情報（例えば、発言文字情報を入力した時刻を示す情報）に対応付けて、入力部２−２が入力した端末識別情報と文字データとを保存する。なお、既に通話中テキストログ４が作成されている場合には、通話中テキストログ４における該当領域に、時系列的に順次記録する。例えば、サーバ２は、通話中テキストログ４を記憶するログデータベースを備え、自動テキスト作成部２−４は、ログデータベースに通話中テキストログ４を記憶させる。図３は、通話中テキストログの例を示す説明図である。図３に示す例では、「発言時刻を示す情報」が「１３時０２分０３秒」、「端末識別情報」が「携帯電話機１１」、「文字データ」が「こんにちは。」である通話中テキストログが１行目に記録されている。
【００２９】
テキスト編集部２−５は、携帯電話機１３が途中からＰｏＣ通信に参加した際に記憶された接続状態情報を接続状態監視部２−１から入力する。テキスト編集部２−５は、接続状態監視部２−１から接続状態情報を入力した場合、その時点で最新の通話中テキストログ４を取得する。例えば、テキスト編集部２−５は、参加前の会話内容のテキストとして、ログデータベースからその時点で最新の通話中テキストログを抽出する。そして、テキスト編集部２−５は、参加前の会話内容のテキストにもとづいて、メール用テキスト５を生成する。また、テキスト編集部２−５は、メール用テキスト５の宛先として、入力した接続状態情報に含まれる「メールアドレス」を設定する。テキスト編集部２−５は、生成したメール用テキスト５を出力部２−６に出力する。
【００３０】
また、テキスト編集部２−５は、入力した接続状態情報に含まれる「接続開始時刻」にもとづいて、取得した通話中テキストログ４を検索してもよい。例えば、テキスト編集部２−５は、「接続開始時刻」と同じ時刻や、「接続開始時刻」より後の所定の時間内に含まれる時刻を検索する。そして、通話中テキストログ４のうち、検索された時刻以前の情報を抽出し、抽出された情報をメール本文に含むメール用テキスト５を生成する。
【００３１】
メール用テキスト５は、途中からＰｏＣ通信に参加した携帯電話機１３に送信するための情報であって、携帯電話機１３がＰｏＣ通信に参加する前の会話内容を示す情報である。図４は、メール用テキストの例を示す説明図である。メール用テキスト５は、発言時刻を示す情報に、端末識別情報と文字データとが対応付けられて、時系列的に記録された情報である。発言時刻を示す情報、端末識別情報および文字データは、通話中テキストログ４に含まれる情報と同じ情報である。
【００３２】
また、メール用テキスト５は、携帯電話機ごとの接続開始時刻、不参加表明時刻、接続終了時刻および端末識別情報を含むことが望ましい。接続開始時刻、不参加表明時刻、接続終了時刻および端末識別情報は、接続状態情報３に含まれる情報と同じ情報である。この場合、テキスト編集部２−５は、接続状態監視部２−１によって記憶された全ての接続状態情報３を参照し、時系列的に、端末識別情報ごとの接続開始時刻、不参加表明時刻および接続終了時刻が記載されたメール用テキスト５を生成する。ここで、図４に示すように、接続開始時刻に対して「接続開始」というコメントを記載し、不参加表明時刻に対して「不参加表明」というコメントを記載し、接続終了時刻に対して「接続終了」というコメントを記載してもよい。
【００３３】
出力部２−６は、テキスト編集部２−５によって出力されたメール用テキスト５を送信する。出力部２−６は、例えば、インターネット等の通信ネットワークを介して、途中参加した携帯電話機宛のメール用テキスト５を送信する。よって、出力部２−６は、インターネット等の通信ネットワークに対するインタフェース部を含む。
【００３４】
第１の実施の形態において、音声変換手段は、音声認識エンジン２−３によって実現される。テキスト記憶手段は、自動テキスト作成部２−４によって実現される。途中参加検出手段は、接続状態監視部２−１によって実現される。テキスト送信手段は、テキスト編集部２−５および出力部２−６によって実現される。
【００３５】
次に、図面を参照して第１の実施の形態の動作について説明する。図５は、通話中テキストログを生成する処理の例を示すフローチャートである。
【００３６】
サーバ２の接続状態監視部２−１は、携帯電話機１１，１２，１３によるＰｏＣ通信が開始されるまで待機し、例えば、所定の周期でＰｏＣ通信が開始されたか否かを判断する（ステップＳ１）。接続状態監視部２−１は、例えば、発起人ユーザが使用する携帯電話機１１がグループ通話の参加メンバとして他の携帯電話機１２，１３を呼び出した場合に、ＰｏＣ通信が開始されたと判断する。接続状態監視部２−１は、ＰｏＣ通信が開始されたと判断すると（ＹＥＳ）、例えば、所定の周期で、各携帯電話機においてプッシュボタンが押下されたか否かを判断する（ステップＳ２）。例えば、接続状態監視部２−１は、ＰｏＣ通信ネットワーク１の交換機から、プッシュボタンが押下された旨の信号を受信すると、プッシュボタンが押下されたと判断する。ステップＳ１において、ＰｏＣ通信が開始されていないと判断した場合には（ＮＯ）、再度ステップＳ１に移行する。
【００３７】
ステップＳ２において、接続状態監視部２−１が、プッシュボタンが押下されたと判断すると（ＹＥＳ）、入力部２−２は、発言権を獲得した携帯電話機が送信する音声データ（すなわち、話者が発する発言）の入力を開始し（ステップＳ３）、ステップＳ４に移行する。ステップＳ２において、プッシュボタンが押下されていないと判断した場合には（ＮＯ）、再度ステップＳ２に移行する。ステップＳ４において、接続状態監視部２−１は、例えば、所定の周期で、発言権を獲得した携帯電話機においてプッシュボタンが開放されたか否かを判断する。例えば、接続状態監視部２−１は、ＰｏＣ通信ネットワーク１の交換機から、プッシュボタンが開放された旨の信号を受信すると、プッシュボタンが開放されたと判断する。
【００３８】
ステップＳ４において、接続状態監視部２−１が、プッシュボタンが開放されたと判断すると（ＹＥＳ）、入力部２−２は、音声データの入力を終了し、入力した音声データを音声認識エンジン２−３に出力する（ステップＳ５）。
【００３９】
音声認識エンジン２−３は、入力部２−２によって出力された音声データを音声認識処理を行うことによって即時解析する（ステップＳ６）。
【００４０】
自動テキスト作成部２−４は、通話中テキストログ４を作成して保存する。この場合、自動テキスト作成部２−４は、音声認識エンジン２−３によって解析された結果に基づいて文字データを作成し、通話中テキストログ４として発言時刻を示す情報と端末識別情報と文字データとを保存する。なお、既に通話中テキストログ４が作成されている場合には、通話中テキストログ４における該当領域に、時系列的に順次記録する（ステップＳ７）。例えば、ステップＳ２において、１３時０２分０３秒に携帯電話機１１においてプッシュボタンが押下され、「こんにちは」と発言された場合、ステップＳ２〜Ｓ７の処理により、図３に示す通話中テキストログ４に「１３時０２分０３秒  携帯電話機１１：こんにちは」と記録される。
【００４１】
接続状態監視部２−１は、例えば、所定の周期で、ＰｏＣ通信が終了されたか否かを判断する（ステップＳ８）。ＰｏＣ通信が終了されたと判断すると（ＹＥＳ）、一連の処理を終了し、終了されていないと判断すると（ＮＯ）、ステップＳ２に移行する。ステップＳ２〜Ｓ８の処理が繰り返されることにより、図３に例示する通話中テキストログ４が生成される。
【００４２】
次に、当初不参加を表明していた携帯電話機が途中から参加した場合に、参加前の会話内容を示す情報を送信する処理について説明する。図６は、参加前の会話内容を示す情報として、メール用テキストを生成して送信する処理の例を示すフローチャートである。
【００４３】
例えば、携帯電話機１３が、１３時１０分００秒に途中からの参加を表明した場合、接続状態監視部２−１は、「端末識別情報」が「携帯電話機１３」、「メールアドレス」が「13@XX.ne.jp 」、「接続開始時刻」が「１３時１０分００秒」である接続状態情報を記憶する（ステップＳ１１）。接続状態監視部２−１は、記憶された接続状態情報の接続開始時刻「１３時１０分００秒」がチェック時刻「１３時００分２０秒」よりも遅いと判断して、記憶された接続状態情報をテキスト編集部２−５に出力する（ステップＳ１２）。
【００４４】
テキスト編集部２−５は、接続状態監視部２−１によって出力された接続状態情報を入力した場合に、その時点で最新の通話中テキストログ４を取得する（ステップＳ１３）。例えば、テキスト編集部２−５は、参加前の会話内容のテキストとして、ログデータベースからその時点で最新の通話中テキストログを抽出する。テキスト編集部２−５は、接続状態情報と参加前の会話内容のテキストとにもとづいて、メール用テキスト５を生成し（ステップＳ１４）、出力部２−６に出力する（ステップＳ１５）。出力部２−６は、例えば、インターネット等の通信ネットワークおよびＰｏＣ通信ネットワークを介して、途中参加した携帯電話機宛のメール用テキスト５を送信する。
【００４５】
例えば、ステップＳ１４において生成されるメール用テキスト５（図４参照。）は、宛先が途中参加した携帯電話機１３であって、メール本文が、図３に示す通話中テキストログ４のうち、携帯電話機１３が途中参加した「１３時１０分００秒」以前の情報、すなわち、「発言時刻を示す情報」が「１３時０９分５０秒」、「端末識別情報」が「携帯電話機１２」、「文字データ」が「そうしましょう。」である情報以前の情報である。
【００４６】
以上に説明したように、第１の実施の形態によれば、携帯電話機がＰｏＣ通信に途中参加した場合、参加と同時に参加前の会話内容が記載されたメールを受信することができる。そのため、途中から参加したメンバが、最初から参加しているメンバに会話内容をヒアリングすることなく、参加してすぐに、参加前の会話内容を把握することができる。また、通話中テキストログのうち、参加前の会話内容のみが抽出されることから、必要最低限のデータを受信することができ、通信効率がよいという効果がある。
【００４７】
また、途中参加メンバは、参加前の会話内容を音声データではなくテキストデータとして取得するため、目と耳とを同時に使用して、会話に参加しながら参加前の会話内容を確認することができる。
【００４８】
また、ＰｏＣ通信では、プッシュボタンを押下して発言権を獲得した携帯電話機のみが音声データを送信可能であり、複数の人が同時に発言することがなく、発言者は必ず１人であるため、発言内容に対する発言者を確実に認識することができる。
【００４９】
なお、本実施の形態では、参加前の会話内容を電子メールとして送信する場合を例示したが、ＳＭＳ（Short Message Service ）によるメッセージとして送信してもよい。ＳＭＳによるメッセージを送信する場合、メッセージの宛先として、例えば、携帯電話機の端末識別情報を使用することができる。ＳＭＳを用いれば、サーバ２は、メールアドレスの入力が不要となる。また、自動テキスト作成部２−４は、ＳＭＳによるメッセージの文字数制限に応じて、参加前の会話内容を要約してメール用テキスト５を生成することが望ましい。
【００５０】
実施の形態２．
次に、本発明の第２の実施の形態を図面を参照して説明する。図７は、本発明による会話内容伝達システムの第２の実施の形態を示すブロック図である。図７に示す会話内容伝達システムは、サーバ２１と、携帯電話機１１と、携帯電話機１２と、携帯電話機１３とを備える。携帯電話機１１，１２，１３およびサーバ２１は、ＰｏＣ通信ネットワーク１を介して、ＰｏＣ通信可能に接続される。また、本実施の形態において、携帯電話機１１，１２，１３およびサーバ２１は、インターネット等の通信ネットワークを介して、所定のＷｅｂサーバと通信可能に接続されるとともに、通信事業者が提供する移動通信網に接続される。
【００５１】
携帯電話機１１，１２，１３は、ＰｏＣ方式による通話機能を有する携帯電話機である。また、携帯電話機１１，１２，１３は、ＳＭＳ機能や、一般的な全二重通信方式による通話機能を有する。携帯電話機１１，１２，１３は、例えば、ＰｏＣ通信を開始する場合、ＰｏＣ通信への参加や不参加を表明する場合およびＰｏＣ通信を終了する場合に、当該携帯電話機を識別可能な端末識別情報を出力する。
【００５２】
サーバ２１は、ＰｏＣ通信における会話内容を、所定のＷｅｂサーバが提供する掲示板等のＷｅｂページに表示される掲示板情報４１として記憶し、途中からＰｏＣ通信に参加した携帯電話機に、当該掲示板情報の所在を示すＵＲＬを示す情報を送信するサーバ装置である。各携帯電話機は、例えば、インターネット等の通信ネットワークを介して所定のＷｅｂサーバと通信し、掲示板情報４１を取得して表示させることができる。以下、サーバ２１が、掲示板情報の所在を示すＵＲＬを示す情報をＳＭＳによるメッセージとして送信する場合を例示して説明する。
【００５３】
サーバ２１は、接続状態監視部２−１と、入力部２−２と、音声認識エンジン２−３と、自動テキスト作成部２１−４と、テキスト編集部２１−５と、出力部２１−６とを含む。なお、第１の実施の形態と同様の構成部については、図１と同一の符号を付し、説明を省略する。
【００５４】
自動テキスト作成部２１−４は、掲示板情報４１における該当領域に、音声認識エンジン２−３によって出力された発言文字情報を記録する。図８は、掲示板情報の例を示す説明図である。図８に示すように、掲示板情報４１は、発言時刻を示す情報に対応付けられた発言文字情報が、時系列的に順次記憶される情報である。
【００５５】
テキスト編集部２１−５は、例えば、携帯電話機１３が途中からＰｏＣ通信に参加した際に記憶された接続状態情報を接続状態監視部２−１から入力する。テキスト編集部２１−５は、接続状態監視部２−１から接続状態情報を入力した場合、入力した接続状態情報にもとづいて、メッセージ用テキスト５１を生成し、出力部２１−６に出力する。
【００５６】
本実施の形態において、メッセージ用テキスト５１は、途中からＰｏＣ通信に参加した携帯電話機１３に送信するための情報であって、掲示板情報４１の所在を示すＵＲＬを示す情報である。テキスト編集部２１−５は、メッセージ用テキスト５１の宛先として、例えば、入力した接続状態情報に含まれる「端末識別情報」を設定する。
【００５７】
出力部２１−６は、テキスト編集部２１−５によって出力されたメッセージ用テキスト５１を送信する。出力部２１−６は、例えば、移動通信網等の通信ネットワークを介して、途中参加した携帯電話機宛のメッセージ用テキスト５１を送信する。よって、出力部２１−６は、移動通信網等の通信ネットワークに対するインタフェース部を含む。
【００５８】
なお、本実施の形態では、サーバ２１が、掲示板情報の所在を示すＵＲＬを示す情報をＳＭＳによるメッセージとして送信する場合を例示して説明したが、電子メールで送信してもよい。
【００５９】
以上に説明したように、第２の実施の形態によれば、複数のメンバが閲覧可能な掲示板を用いて参加前の会話内容を確認することができることから、第１の実施の形態による効果に加えて、例えば、途中参加したメンバが複数存在する場合であっても、携帯電話機ごとにメール用テキストを生成する必要がなく、処理を効率的に行うことができる。
【００６０】
なお、上記の第１の実施の形態および第２の実施の形態では、３台の携帯電話機１１，１２，１３がＰｏＣ方式による通信を行う場合を例示しているが、ＰｏＣ通信を行う携帯電話機の台数は３台に限られず、例えば、４台以上であってもよい。
【産業上の利用可能性】
【００６１】
本発明は、ＰｏＣ通信可能な携帯電話機およびＰｏＣ通信ネットワークを利用してグループ通話を行う用途に効果的に適用される。
【図面の簡単な説明】
【００６２】
【図１】本発明による会話内容伝達システムの第１の実施の形態を示すブロック図である。
【図２】接続状態情報の例を示す説明図である。
【図３】通話中テキストログの例を示す説明図である。
【図４】メール用テキストの例を示す説明図である。
【図５】通話中テキストログを生成する処理の例を示すフローチャートである。
【図６】メール用テキストを生成して送信する処理の例を示すフローチャートである。
【図７】本発明による会話内容伝達システムの第２の実施の形態を示すブロック図である。
【図８】掲示板情報の例を示す説明図である。
【符号の説明】
【００６３】
１          ＰｏＣ通信ネットワーク
２          サーバ
２−１      接続状態監視部
２−２      入力部
２−３      音声認識エンジン
２−４      自動テキスト作成部
２−５      テキスト編集部
２−６      出力部
３          接続状態情報
４          通話中テキストログ
５          メール用テキスト
１１〜１３  携帯電話機
【図１】
2008092287.tif 000003
【図２】
2008092287.tif 000004
【図３】
2008092287.tif 000005
【図４】
2008092287.tif 000006
【図５】
2008092287.tif 000007
【図６】
2008092287.tif 000008
【図７】
2008092287.tif 000009
【図８】
2008092287.tif 000010